(57)【要約】      （修正有）【課題】開き状態においても機器に保持されており、従来よりも小さい力で開き状態から閉じ状態に移行できるキャップおよびこれを用いた機器を提供する。【解決手段】機器に保持されることが可能な被保持部４と、閉じ状態と、閉じ状態とは異なる開き状態になることが可能なキャップ部５と、被保持部４とキャップ部５とを連結している連結部６，７と、を備え、被保持部４の重心とキャップ部５の重心を結ぶ直線に直交するとともに互いに逆向きの方向を第１の方向および第２の方向とするとき、連結部６，７は、直線から第１の方向に離れた位置と直線から第２の方向に離れた位置のうち少なくとも一方の位置に設けられており、連結部６，７の長さは、直線の方向における被保持部４とキャップ部５との間の距離よりも長い。【選択図】図１
2017227808.tif 000002
【特許請求の範囲】
【請求項１】
機器に保持されることが可能な被保持部と、
前記機器のうち所定の領域を覆う閉じ状態と、前記閉じ状態とは異なる開き状態になることが可能なキャップ部と、
前記被保持部と前記キャップ部とを連結している連結部と、を備え、
前記被保持部の重心と前記キャップ部の重心を結ぶ直線に直交するとともに互いに逆向きの方向を第１の方向および第２の方向とするとき、
前記連結部は、前記直線から前記第１の方向に離れた位置と前記直線から前記第２の方向に離れた位置のうち少なくとも一方の位置に設けられており、
前記連結部の長さは、前記直線の方向における前記被保持部と前記キャップ部との間の距離よりも長い、
ことを特徴とするキャップ。
【請求項２】
前記連結部は、前記直線から前記第１の方向に離れた位置に設けられた第１の連結部と、前記直線から前記第２の方向に離れた位置に設けられた第２の連結部と、を有する、
ことを特徴とする請求項１に記載のキャップ。
【請求項３】
前記連結部は、前記連結部が前記被保持部と連結している第１の連結位置と、前記連結部が前記キャップ部と連結している第２の連結位置との間の位置に湾曲部を有し、
前記湾曲部は、前記直線から離れる方向に湾曲している、
ことを特徴とする請求項１または２に記載のキャップ。
【請求項４】
前記第１の連結部は、前記連結部が前記被保持部と連結している第１の連結位置と、前記連結部が前記キャップ部と連結している第２の連結位置との間の位置に第１の湾曲部を有し、
前記第２の連結部は、前記第１の連結位置と前記第２の連結位置との間の位置に第２の湾曲部を有し、
前記第１の湾曲部と前記第２の湾曲部との間の距離は、前記第１の連結部における前記第１の連結位置と前記第２の連結部における前記第１の連結位置との間の距離および前記第１の連結部における前記第２の連結位置と前記第２の連結部における前記第２の連結位置との間の距離のうち少なくとも一方よりも長い、
ことを特徴とする請求項２または３に記載のキャップ。
【請求項５】
前記被保持部として第１の被保持部および第２の被保持部を有し、
前記キャップ部として第１のキャップ部および第２のキャップ部を有し、
前記第１の連結部は前記第１の被保持部と前記第１のキャップ部との間に設けられ、
前記第２の連結部は前記第２の被保持部と前記第２のキャップ部との間に設けられている、
ことを特徴とする請求項２に記載のキャップ。
【請求項６】
前記連結部が前記被保持部と連結している第１の連結位置と、前記連結部が前記キャップ部と連結している第２の連結位置との間の位置における前記連結部の幅は、前記第１の連結位置における幅および前記第２の連結位置における幅と等しい、
ことを特徴とする請求項１または２に記載のキャップ。
【請求項７】
前記連結部が前記被保持部と連結している第１の連結位置と、前記連結部が前記キャップ部と連結している第２の連結位置との間の位置における前記連結部の幅は、前記第１の連結位置における幅および前記第２の連結位置における幅のうち少なくとも一方よりも狭い、
ことを特徴とする請求項１または２に記載のキャップ。
【請求項８】
前記連結部は弾性部材である、
ことを特徴とする請求項１乃至７のいずれか一項に記載のキャップ。
【請求項９】
前記機器は光学素子を備える光学機器であって、
前記キャップは、前記キャップ部が前記閉じ状態にあるときに前記光学素子を前記キャップ部で覆うレンズキャップである、
ことを特徴とする請求項１乃至８のいずれか一項に記載のキャップ。
【請求項１０】
前記キャップ部が前記閉じ状態にあるときの前記連結部による弾性力は、前記キャップ部が前記開き状態にあるときの前記連結部による弾性力よりも強い、
ことを特徴とする請求項１乃至９のいずれか一項に記載のキャップ。
【請求項１１】
前記被保持部を保持する保持部と、
請求項１乃至１０のいずれか一項に記載のキャップと、を備える、
ことを特徴とする機器。
【請求項１２】
前記機器は光学素子を備える光学機器であって、
前記キャップ部が前記閉じ状態にあるときに前記光学素子が前記キャップ部で覆われる、
ことを特徴とする請求項１１に記載の機器。
【請求項１３】
前記機器は、
前記光学素子としてのカバーガラスと、
対物光学系と、
接眼光学系と、を備える光学機器である、
ことを特徴とする請求項１２に記載の機器。
【請求項１４】
機器に保持されることが可能な被保持部と、前記機器のうち所定の領域を覆う閉じ状態と、前記閉じ状態とは異なる開き状態になることが可能なキャップ部と、前記被保持部と前記キャップ部とを連結している連結部と、を備え、前記被保持部の重心と前記キャップ部の重心を結ぶ直線に直交するとともに互いに逆向きの方向を第１の方向および第２の方向とするとき、前記連結部が、前記直線から前記第１の方向に離れた位置と前記直線から前記第２の方向に離れた位置のうち少なくとも一方の位置に設けられており、前記連結部の長さが、前記直線の方向における前記被保持部と前記キャップ部との間の距離よりも長くなっているキャップを装着可能な機器であって、
前記被保持部を保持する保持部を有する、
ことを特徴とする機器。
【請求項１５】
前記機器は光学素子を備える光学機器であって、
前記キャップ部が前記閉じ状態にあるときに前記光学素子が前記キャップ部で覆われる、
ことを特徴とする請求項１４に記載の機器。
【請求項１６】
前記機器は、
前記光学素子としてのカバーガラスと、
対物光学系と、
接眼光学系と、を備える光学機器である、
ことを特徴とする請求項１５に記載の機器。
【発明の詳細な説明】
【技術分野】
【０００１】
本発明は、キャップおよびこれを用いた機器に関し、特にレンズキャンプおよびこれを用いた光学機器に関する。
【背景技術】
【０００２】
従来、光学機器のレンズを保護するレンズキャップは、光学機器の使用時に光学機器から外されたり、光学機器をストラップ等で吊り下げた状態で移動したりする際に紛失することがあった。このような問題を解決できるレンズキャップとして、特許文献１に記載のレンズキャップが知られている。
【０００３】
特許文献１は、レンズ鏡筒の外周に嵌合する環状部と、レンズ鏡筒の先端部を覆うためのキャップ部と、キャップ部を環状部に連結する連結部とを弾力性を有する柔軟な材質で一体的に形成したレンズキャップが開示されている。このようなレンズキャップを用いれば、レンズキャップを紛失する可能性を低くすることができる。
【先行技術文献】
【特許文献】
【０００４】
【特許文献１】実開昭５９−０７９８３２号公報
【発明の概要】
【発明が解決しようとする課題】
【０００５】
しかしながら、前述の特許文献１のレンズキャップでは、キャップ部がレンズ鏡筒の先端部を覆っていない開き状態から、キャップ部がレンズ鏡筒の先端部を覆っている閉じ状態へ移行する際に、連結部を弾性力に抗する方向に湾曲させる必要がある。このため、連結部が発揮する弾性力が強い場合には、それ以上の力で連結部を湾曲させなければならず、レンズキャップの操作性が悪化してしまうおそれがある。
【０００６】
そこで、本発明は、開き状態においても機器に保持されており、従来よりも小さい力で開き状態から閉じ状態に移行できるキャップおよびこれを用いた機器を提供することを目的とする。
【課題を解決するための手段】
【０００７】
上記課題の解決のために、本発明におけるキャップは、
機器に保持されることが可能な被保持部と、
前記機器のうち所定の領域を覆う閉じ状態と、前記閉じ状態とは異なる開き状態になることが可能なキャップ部と、
前記被保持部と前記キャップ部とを連結している連結部と、を備え、
前記被保持部の重心と前記キャップ部の重心を結ぶ直線に直交するとともに互いに逆向きの方向を第１の方向および第２の方向とするとき、
前記連結部は、前記直線から前記第１の方向に離れた位置と前記直線から前記第２の方向に離れた位置のうち少なくとも一方の位置に設けられており、
前記連結部の長さは、前記直線の方向における前記被保持部と前記キャップ部との間の距離よりも長い、
ことを特徴とする。
【発明の効果】
【０００８】
本発明によれば、開き状態においても機器に保持されており、従来よりも小さい力で開き状態から閉じ状態に移行できるキャップおよびこれを用いた機器を提供することができる。
【図面の簡単な説明】
【０００９】
【図１】第１実施例のレンズキャップを装着した双眼鏡の斜視図
【図２】第１実施例のレンズキャップの正面図
【図３】第１実施例のレンズキャップを装着した双眼鏡の断面図
【図４】第２実施例のレンズキャップを装着した双眼鏡の斜視図
【図５】第３実施例のレンズキャップの正面図
【図６】第４実施例のレンズキャップの正面図
【図７】第５実施例のレンズキャップの正面図
【発明を実施するための形態】
【００１０】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１１】
〔第１実施例〕
図１〜図３を参照して本発明の第１実施例としてのレンズキャップ１１について説明する。なお、図１は、本実施例のレンズキャップ１１を２つ装着した双眼鏡２（機器、光学機器）の斜視図である。図２は第１実施例のレンズキャップ１１の正面図である。図３は図１の双眼鏡２の断面図である。
【００１２】
レンズキャップ１１は、双眼鏡２の先端部外周に設けられたキャップ取付溝３（保持部）に嵌め合って保持される被保持部４と、双眼鏡２のうち所定の領域を覆う閉じ状態と、閉じ状態とは異なる開き状態になることが可能なキャップ部５と、を備えている。より詳細には、キャップ部５は双眼鏡２の先端部の内周に嵌め合い先端部を覆うことが可能であって、キャップ部５が双眼鏡２の先端部を覆った状態を閉じ状態とし、キャップ部５が双眼鏡２の先端から外された状態を開き状態とする。なお、図３に示すようにキャップ部５は凹部５１を有しており、閉じ状態から開き状態にする際にユーザーが凹部５１に指を引っかけることで、閉じ状態から開き状態にしやすくしている。
【００１３】
レンズキャップ１１はさらに、被保持部４とキャップ部５を連結する第１の連結部６と第２の連結部７を備えている。被保持部４とキャップ部５と第１の連結部６及び第２の連結部７は、弾力性を有する成形材料（弾性部材、例えば、ゴムやエラストマーなど）で一体的に形成されている。ユーザーが、第１の連結部６と第２の連結部７を弾性力に抗する方向に湾曲させることで、キャップ部５を双眼鏡２の先端部に装着することができる。
【００１４】
第１の連結部６は固定部４の中心（重心）Ｏとキャップ部５の中心（重心）Ｏ’を結ぶ直線ＯＯ’に対し鉛直な方向−Ａにオフセットした（離れた）位置に設けられている。一方、第２の連結部７は直線ＯＯ’に対し鉛直な方向Ａにオフセットした（離れた）位置に設けられている。そして、第１の連結部６、第２の連結部７はそれぞれ固定部４と第１の連結位置６ａ、７ａにて、キャップ部５とは第２の連結位置６ｂ、７ｂにて連結されている。
【００１５】
キャップ部５が双眼鏡２の先端部に装着されるとき、第１の連結部６と第２の連結部７は湾曲位置６ｃ、７ｃで湾曲される。湾曲位置６ｃは、第１の連結位置６ａと第２の連結位置６ｂより直線ＯＯ’から鉛直方向−Ａ（直線ＯＯ´と直交する方向、第１の方向）に離反する位置に設けられている。湾曲位置７ｃは、第１の連結位置７ａと第２の連結位置７ｂより直線ＯＯ’から鉛直方向Ａ（直線ＯＯ´と直交する方向、第２の方向）に離反する位置に設けられている。
【００１６】
言い換えると、第１の連結部６は、第１の連結部６が被保持部４と連結している第１の連結位置と、第１の連結部６がキャップ部５と連結している第２の連結位置との間の位置に第１の湾曲部を有している。さらに、第２の連結部７は、第１の連結位置と第２の連結位置との間の位置に第２の湾曲部を有している。
【００１７】
そして、第１の湾曲部と第２の湾曲部との間の距離は、第１の連結部６における第１の連結位置と第２の連結部７における第１の連結位置との間の距離よりも長い。なお、第１の湾曲部と第２の湾曲部との間の距離は第１の連結部６における第２の連結位置と第２の連結部７における第２の連結位置との間の距離よりも長くてもよい。つまり、両湾曲間の距離は上記の２つの距離のうち少なくとも一方よりも長ければよい。
【００１８】
なお、ここでいう両湾曲部間の距離を第１の連結部６の内周面（内側）と第２の連結部７の内周面（内側）との間の直線ＯＯ´と直交する距離のうち最大の距離としてもよい。さらに、両湾曲部間の距離を第１の連結部６の外周面（外側）と第２の連結部７の外周面（外側）との間の直線ＯＯ´と直交する距離のうち最大の距離としてもよい。
【００１９】
これにより、キャップ部５が双眼鏡２の先端部に装着される時、第１の連結部６と第２の連結部７は弾性力に抗する方向に湾曲されるが、湾曲位置６ｃと７ｃは鉛直方向−ＡあるいはＡに変形しやすいため、弾性力に抗する力は分散される。そのため、キャップ部５は双眼鏡２の先端部に装着し易く操作性を改善させることでき、また不用意に外れ難くなる。また、キャップ部５を装着した状態で長期間放置した場合にも、湾曲位置６ｃ、７ｃの負荷は低減されているため変質し難い。
【００２０】
つまり、特許文献１においては直線ＯＯ´上に短い連結部を設けてキャップ部５を双眼鏡２の先端に取り付けられる構成であったが、連結部が短いと連結部を湾曲させるためにより多くの力が必要となる。これに対して本実施例に記載のレンズキャップ１では、まず、連結部が、被保持部４の重心とキャップ部５の重心を結ぶ直線ＯＯ´から直線ＯＯ´と直交する方向に離れた位置に設けられている。さらに連結部の長さ直線がＯＯ´の方向における被保持部４とキャップ部５との間の距離よりも長い。
【００２１】
その結果、従来よりも小さい力で開き状態から閉じ状態にできるキャップを実現することができる。さらに、前述のように連結部を湾曲させることで弾性力に抗する力を外側に逃がすことで、より小さい力で開き状態から閉じ状態にできる。
【００２２】
なお、特許文献１に記載の構成のように直線ＯＯ´上に連結部を設けて、その連結部を位置を固定したまま長くすることも考えられる。しかしながら、このような構成ではキャップ全体が大型化してしまうし、閉じ状態になったときに折り曲げられた連結部が大きく突出してしまうため、好ましくない。これに対して本発明の各実施例に記載のキャップは、被保持部４とキャップ部５との間の距離を広げずに連結部の位置をより外側に置くことで、前述のように操作性を改善しつつ、キャップ全体が大きくなってしまうことも抑制することができる。
【００２３】
〔第２実施例〕
図４を参照して本発明の第２実施例としてのレンズキャップ１２について説明する。前述の第１実施例としてのレンズキャップ１１との違いは、被保持部４とキャップ部５との間に連結部が１つのみであり、双眼鏡２ようの左右のキャップが連結されている点である。それ以外の構成は前述の各実施例と同様のため、説明を省略する。
【００２４】
具体的には、図１に示したように第１実施例では双眼鏡２の各光学系に１つずつレンズキャップ１１を用いたが、本実施例では図４のように固定部４とキャップ部５のいずれか、あるいは両方に二眼連結部８を設けた二眼一体のレンズキャップ１２を用いている。このような構成であっても、特許文献１に記載の構成よりも連結部を長くすることができるため、前述の第１実施例に記載のレンズキャップと同様に、従来よりも小さい力で開き状態から閉じ状態にできる。
【００２５】
〔第３実施例〕
図５を参照して本発明の第３実施例としてのレンズキャップ１３について説明する。前述の各実施例との違いは、第１の連結部および第２の連結部が湾曲していない点である。つまり、連結部が被保持部と４連結している第１の連結位置と、連結部がキャップ部５と連結している第２の連結位置との間の位置における連結部の幅が、第１の連結位置における幅および第２の連結位置における幅と等しくなっている。それ以外の構成は前述の各実施例と同様のため、説明を省略する。
【００２６】
本実施例で示すレンズキャップ１３は、湾曲していない第１の連結部６３と第２の連結部７３を有する。このような構成であっても、特許文献１に記載の構成よりも連結部を長くすることができるため、前述の各実施例に記載のレンズキャップと同様に、従来よりも小さい力で開き状態から閉じ状態にできる。具体的には、図５に示すように連結部の長さｄоは被保持部４とキャップ部５との間の距離ｄｉよりも長くなっている。
【００２７】
〔第４実施例〕
図６を参照して本発明の第４実施例としてのレンズキャップについて説明する。前述の第３実施例と本実施例との違いは、連結部の内側が湾曲している点である。つまり、連結部が被保持部４と連結している第１の連結位置と、連結部がキャップ部５と連結している第２の連結位置との間の位置における連結部の幅は、第１の連結位置における幅および第２の連結位置における幅のうち少なくとも一方よりも狭くなっている。具体的には図６に示すように、幅ｗｉが幅ｗоよりも狭くなっている。それ以外の構成は前述の各実施例と同様のため、説明を省略する。
【００２８】
本実施例で示すレンズキャップ１４は、外側が湾曲しておらず内側が湾曲している第１の連結部６４と第２の連結部７４を有する。このような構成であっても、特許文献１に記載の構成よりも連結部を長くすることができるため、前述の各実施例に記載のレンズキャップと同様に、従来よりも小さい力で開き状態から閉じ状態にできる。具体的には、図５に示すように連結部の長さｄоは被保持部４とキャップ部５との間の距離ｄｉよりも長くなっている。
【００２９】
ここで、キャップ部５が閉じ状態になる際のキャップ部５の回転運動の回転軸をＣとする。第１の連結部６４と第２の連結部７４のうち軸Ｃと重なる部分はキャップ部５が閉じ状態になる際に折り曲げられる部分である。より小さい力で折り曲げられるようにする、つまりキャップ部５を閉じ状態にしやすくすることを考えると、この部分はなるべく細いことが好ましい。そこで、本実施例では前述のように第１の連結部６４と第２の連結部７４のうち内側を湾曲させることで、前述の第３実施例におけるレンズキャップ１３と比較してより小さい力で開き状態から閉じ状態にできるようにした。
【００３０】
〔第５実施例〕
図７を参照して本発明の第５実施例としてのレンズキャップについて説明する。前述の第１実施例と本実施例との差異は連結部としては連結部７５のみを有する点である。つまり、直線ＯＯ´に直交するとともに互いに逆向きの方向を第１の方向および第２の方向とするとき、連結部は、直線ＯＯ´から第１の方向に離れた位置と直線ＯＯ´から第２の方向に離れた位置のうち少なくとも一方の位置に設けられていればよい。それ以外の点は第１実施例と同様のため、説明を省略する。
【００３１】
図７に示す構成であっても、前述の各実施例に記載のレンズキャップと同様に、特許文献１に記載の構成よりも連結部を長くすることができるため、従来よりも小さい力で開き状態から閉じ状態にできる。具体的には、図７に示すように連結部の長さｄоは被保持部４とキャップ部５との間の距離ｄｉよりも長くなっている。
【００３２】
（各種寸法および位置の定義）
本発明の各実施例においては、図５から図７に示すように、連結部が被保持部４と連結している第１の連結位置ＣＰ４６と、連結部がキャップ部５と連結している第２の連結位置ＣＰ５６との間の直線ＯＯ´方向の距離を連結部の長さｄоとしている。同様に、図５から図７に示すように、被保持部４の外径部とキャップ部５の外径部との間の直線ＯＯ´上の距離を被保持部４とキャップ部５との間の距離ｄｉとしている。
【００３３】
連結部の長さの定義は上記の定義に限るものではない。図７に示すように、被保持部４の外径部のうち連結部と連結している領域の最も内側の位置と、キャップ部５の外径部のうち連結部と連結している領域の最も内側の位置との間の直線ＯＯ´方向の距離ｄо１を連結部の長さとしてもよい。さらに、被保持部４の外径部のうち連結部と連結している領域の最も外側の位置と、キャップ部５の外径部のうち連結部と連結している領域の最も外側の位置との間の直線ＯＯ´方向の距離ｄо２を連結部の長さとしてもよい。
【００３４】
第１の連結位置ＣＰ４６は図５および図６に示すように、被保持部４の外径部のうち連結部と連結している領域の中心（円周が半分になる位置）としている。同様に、第２の連結位置ＣＰ５６はキャップ部５の外径部のうち連結部と連結している円周部の中心としている。もう一つの第１の連結位置である第２の連結部と被保持部４との連結位置ＣＰ４７と、もう一つの第２の連結位置である第２の連結部とキャップ部５との連結位置ＣＰ５７も同様の定義である。
【００３５】
第１の連結位置および第２の連結位置は上記の定義に限るものではない。図７に示すように、連結部上の位置のうち、その位置における連結部の幅が半分になる少なくとも３つの位置を通る円と被保持部４とが交差する位置を第１の連結位置としてもよい。同様に、連結部上の位置のうち、その位置における連結部の幅が半分になる少なくとも３つの位置を通る円とキャップ部５とが交差する位置を第２の連結位置としてもよい。また、連結部の幅は、前述の少なくとも３つの位置を通る円上にある位置における接線と直交する方向の幅としてもよいし、直線ＯＯ´と直交する方向の幅としてもよい。
【００３６】
（本発明の各実施例のその他の効果）
前述のように、本発明の各実施例に記載のキャップは、特許文献１に記載の構成よりも連結部を長くすることができるため、従来よりも小さい力で開き状態から閉じ状態にできる。その結果、ユーザーの操作性を向上させることができる。しかしながら、本発明の各実施例に記載のキャップは上記の効果以外にも次の効果を発揮することもできる。
【００３７】
特許文献１に記載のように被保持部とキャップ部との間の中心に短い連結部を設けたキャップを開き状態から閉じ状態としてキャップ部が機器に固定されると、連結部のうち折り曲げられた部分に応力が集中することになる。このような、連結部のうち折り曲げられた部分のうち内側は圧縮されて外側が伸長された状態が長時間続くと、キャップの品質が劣化してしまい、例えばキャップ部を機器から取り外しても弾性力で自然に開き状態に戻らなくなってしまうおそれがある。
【００３８】
これに対して、本発明の各実施例に記載のキャップは特許文献１に記載の構成よりも小さい力で開き状態から閉じ状態にすることができ、特許文献１に記載の構成よりも連結部のうち折り曲げられた部分に集中する応力を小さくすることができる。その結果、前述のような品質の劣化を抑制することが可能となる。
【００３９】
〔他の実施例〕
以上、本発明の好ましい実施形態について説明したが、本発明はこれらの実施形態に限定されず、その要旨の範囲内で種々の変形及び変更が可能である。
【００４０】
例えば、前述の各実施例では光学機器として対物光学系と接眼光学系を備える双眼鏡と、双眼鏡用のレンズキャップについて説明したが、本発明はこのようなレンズキャップおよび光学機器に限定されるものではない。双眼鏡と同じ光学機器としての単眼鏡やカメラ用レンズに取り付けるためのレンズキャップなどに本発明の各実施例に記載の構成を適用してもよい。さらに、レンズやガラス板などの光学素子を備える光学機器以外にも、飲料用容器を密閉するためのキャップなどに本発明の各実施例に記載の構成を適用してもよい。さらに、前述の各実施例に記載のキャップを装着可能な機器あるいは光学機器も本発明の適用範囲内である。
【００４１】
また、前述の各実施例ではレンズキャップ１の固定部４が双眼鏡２の先端部の外周に固定されている構成を例示したが、本発明はこのような構成に限定されるものではなく、固定部４が双眼鏡２の先端部の内周に取り付け可能な構成などであってもよい。
【００４２】
また、前述の各実施例ではレンズキャップを双眼鏡２から取り外すことができる構成を例示したが、本発明はこのような構成に限定されるものではない。例えば、固定部４が双眼鏡２の先端部と一体化しているためにレンズキャップ１が双眼鏡２から取り外せない構成などであってもよい。
【００４３】
また、前述の各実施例では被保持部、キャップ部、連結部が弾性部材で一体的に成型された構成を例示したが、本発明はこのような構成に限定されるものではない。例えば、被保持部と連結部が弾性部材で、キャップ部がそれとは異なる材料で成型された構成や、連結部のみが弾性部材で、被保持部とキャップ部がそれとは異なる材料で成型された構成などであってもよい。
【００４４】
なお、前述の各実施例において、連結部が被保持部４の重心とキャップ部の重心とを結ぶ直線から、この直線と直交する方向に離れているとは、図２などに示すように直線ＯＯ´と連結部が重ならないことを意味する。
【００４５】
また、前述の各実施例において、キャップ部５が双眼鏡２のうち所定の領域を覆う状態閉じ状態とし、閉じ状態とは異なる状態を開き状態としていたが、ここでいう所定の領域とは図１および図４に示すようにカバーガラスＣＧの外側の面のことをいう。
【００４６】
ここで、キャップ部５が閉じ状態にあるときの連結部による弾性力は、キャップ部５が開き状態にあるときの連結部による弾性力よりも強い。つまり、連結部が第１の状態にあるときを開き状態とし、連結部が、連結部による弾性力が第１の状態よりも強い状態である第２の状態にあるときを閉じ状態と定義してもよい。さらに、第２の状態は第１の状態よりも連結部に強い応力が発生している状態、あるいは強い復元力が作用している状態としてもよい。
【符号の説明】
【００４７】
１  レンズキャップ
２  双眼鏡
３  キャップ取付溝
４  被保持部
５  キャップ部
６  第１の連結部
７  第２の連結部
６ａ、７ａ  第１の連結位置
６ｂ、７ｂ  第２の連結位置
６ｃ、７ｃ  湾曲位置
８  二眼連結部
ＯＯ’  固定部中心とキャップ部中心を結ぶ直線
Ａ、−Ａ  ＯＯ’に鉛直な方向
【図１】
2017227808.tif 000003
【図２】
2017227808.tif 000004
【図３】
2017227808.tif 000005
【図４】
2017227808.tif 000006
【図５】
2017227808.tif 000007
【図６】
2017227808.tif 000008
【図７】
2017227808.tif 000009